(57)【要約】【課題】撮影時に流れていた音楽、時事ニュース、周囲で再生されていた音楽その他の情報を明瞭に記録し、その情報を撮影した画像とともに再生することのできる撮影装置及び撮影方法を提供する。【解決手段】被写体を撮影する撮影手段（１１）と、撮影手段で撮影された画像を記憶する情報メモリ（１４）と、外部機器から情報を無線で受信する受信手段（１２）と、撮影手段が被写体を撮影するときに、受信手段で受信した情報を撮影された画像と関連付けて記憶する記憶手段（１８）とを有する撮影装置である。【選択図】図２
2007201602.tif 000002
【特許請求の範囲】
【請求項１】
被写体を撮影する撮影手段と、
撮影手段で撮影された画像を記憶する情報メモリと、
外部機器から情報を無線で受信する受信手段と、
前記撮影手段が被写体を撮影するときに、前記受信手段で受信した情報を撮影された画像と関連付けて記憶する記憶手段と、
を有することを特徴とする撮影装置。
【請求項２】
前記外部機器を登録する外部機器登録手段を更に有し、
前記記憶手段は、前記受信手段で受信した情報のうち、前記外部機器登録手段で登録された外部機器からの情報のみを記憶すること、
を特徴とする請求項１に記載の撮影装置。
【請求項３】
前記受信手段で複数の機器から情報を受信可能である場合、所定の優先順位に従って、最も優先順位の高い情報を選択する選択手段を有し、
前記選択手段で選択された情報を選択して受信すること、
を特徴とする請求項２に記載の撮影装置。
【請求項４】
前記記憶手段は、
前記撮影手段で撮影された画像と、前記受信手段で受信した情報を１つのファイルとして前記情報メモリに記憶すること
を特徴とする請求項１に記載の撮影装置。
【請求項５】
前記情報メモリに記憶された画像又はこの画像の縮小画像をディスプレイに表示する撮影画像再生手段と、
前記撮影画像再生手段で前記画像又はこの画像の縮小画像を表示するとともに、当該画像に関連付けられた情報を再生する再生手段と、
を有することを特徴とする請求項１に記載の撮影装置。
【請求項６】
使用者により操作される操作部材をさらに有し、
前記操作部材の第１の操作で前記受信手段が情報の受信を開始し、
前記操作部材の第２の操作で前記撮影手段が被写体を撮影し、
撮影後所定の時間経過後、前記受信手段が前記情報の受信を終了すること
を特徴とする請求項１に記載の撮影装置。
【請求項７】
前記受信手段で受信する情報は音声情報であることを特徴とする請求項１乃至６の内いずれか１項に記載の撮影装置。
【請求項８】
撮影手段で撮影された画像を情報メモリに記憶する画像記憶ステップと、
外部機器から情報を無線で受信する受信ステップと、
前記撮影手段が被写体を撮影するときに、受信した情報を撮影された画像と関連付けて記憶する記憶ステップと
を有することを特徴とする撮影方法。
【請求項９】
前記外部機器を登録する外部機器登録ステップを更に有し、
前記記憶ステップは、前記受信ステップで受信した情報のうち、前記外部機器登録ステップで登録された外部機器からの情報のみを記憶すること、
を特徴とする請求項８に記載の撮影方法。
【請求項１０】
前記受信ステップで複数の機器から情報を受信可能である場合、所定の優先順位に従って、最も優先順位の高い情報を選択する選択ステップをさらに有し、
前記受信ステップは、前記選択ステップで選択された情報を選択して受信すること、
を特徴とする請求項９に記載の撮影方法。
【請求項１１】
前記記憶ステップは、
前記撮影手段で撮影された画像と、前記受信ステップで受信した情報を１つのファイルとして前記情報メモリに記憶すること
を特徴とする請求項８に記載の撮影方法。
【請求項１２】
前記情報メモリに記憶された画像又はこの画像の縮小画像をディスプレイに表示する撮影画像再生ステップと、
前記撮影画像再生ステップで前記画像又はこの画像の縮小画像を表示するとともに、当該画像に関連付けられた情報を再生する再生ステップと、
を有することを特徴とする請求項８に記載の撮影方法。
【請求項１３】
使用者により操作される操作部材の第１の操作で前記受信ステップが情報の受信を開始し、
前記操作部材の第２の操作で前記撮影ステップが被写体を撮影し、
撮影後所定の時間経過後、前記受信ステップが前記情報の受信を終了すること
を特徴とする請求項８に記載の撮影方法。
【請求項１４】
前記受信ステップで受信する情報は音声情報であることを特徴とする請求項８乃至１３の内いずれか１項に記載の撮影方法。
【発明の詳細な説明】
【技術分野】
【０００１】
本発明は、撮影装置及び撮影方法に関し、特に、撮影時に流れていた音楽、時事ニュース、周囲で再生されていた音楽その他の情報を明瞭に記録し、その情報を撮影した画像とともに再生することのできる撮影装置及び撮影方法に関する。
【背景技術】
【０００２】
撮影装置で被写体を撮影するとき、画像情報のみでなく他の情報も併せて取得できれば撮影した画像をより楽しむことができる。  
特許文献１には、撮影の際に離れて位置する被写体が発する音声を記録することのできる撮影装置であって、被写体に無線通信装置を設けて、画角に入る被写体の音声のみを判断して記録できる撮影装置が開示されている。
【特許文献１】特開２００４−２２８６６７号公報
【発明の開示】
【発明が解決しようとする課題】
【０００３】
しかしながら、特許文献１に記載の技術では収集できる情報は被写体の音声に限られるため、撮影時に流れていた音楽、時事ニュース、周囲で再生されていた音楽などを記録するには適していない。  
また、撮影時に聞こえていた音楽などを記録するために撮影装置にマイクロフォンを搭載しても、記録される音声は劣化してしまうため、画像を十分に楽しむことはできず、場合によれば画像の楽しさを損なう結果となる恐れもある。
【０００４】
本発明は係る事情に鑑みてなされたものであって、撮影時に流れていた音楽、時事ニュース、周囲で再生されていた音楽その他の情報を明瞭に記録し、その情報を撮影した画像とともに再生することのできる撮影装置及び撮影方法を提供することを目的とする。
【課題を解決するための手段】
【０００５】
上記課題を解決するための、本発明に係る請求項１に記載の撮影装置は、被写体を撮影する撮影手段と、撮影手段で撮影された画像を記憶する情報メモリと、外部機器から情報を無線で受信する受信手段と、前記撮影手段が被写体を撮影するときに、前記受信手段で受信した情報を撮影された画像と関連付けて記憶する記憶手段とを有する。
【０００６】
また本発明に係る請求項２に記載の撮影装置は、上記記載の発明である撮影装置において、前記外部機器を登録する外部機器登録手段を更に有し、前記記憶手段は、前記受信手段で受信した情報のうち、前記外部機器登録手段で登録された外部機器からの情報のみを記憶する。
【０００７】
また本発明に係る請求項３に記載の撮影装置は、上記記載の発明である撮影装置において、前記受信手段で複数の機器から情報を受信可能である場合、所定の優先順位に従って、最も優先順位の高い情報を選択する選択手段を有し、前記選択手段で選択された情報を選択して受信する。
【０００８】
また本発明に係る請求項４に記載の撮影装置は、上記記載の発明である撮影装置において、前記記憶手段は、前記撮影手段で撮影された画像と、前記受信手段で受信した情報を１つのファイルとして前記情報メモリに記憶する。
【０００９】
また本発明に係る請求項５に記載の撮影装置は、上記記載の発明である撮影装置において、前記情報メモリに記憶された画像又はこの画像の縮小画像をディスプレイに表示する撮影画像再生手段と、前記撮影画像再生手段で前記画像又はこの画像の縮小画像を表示するとともに、当該画像に関連付けられた情報を再生する再生手段とを有する。
【００１０】
また本発明に係る請求項６に記載の撮影装置は、上記記載の発明である撮影装置において、使用者により操作される操作部材をさらに有し、前記操作部材の第１の操作で前記受信手段が情報の受信を開始し、前記操作部材の第２の操作で前記撮影手段が被写体を撮影し、撮影後所定の時間経過後、前記受信手段が前記情報の受信を終了する。
【００１１】
また本発明に係る請求項７に記載の撮影装置は、上記記載の発明である撮影装置において、前記受信手段で受信する情報は音声情報である。
【００１２】
また本発明に係る請求項８に記載の撮影方法は、撮影手段で撮影された画像を情報メモリに記憶する画像記憶ステップと、外部機器から情報を無線で受信する受信ステップと、前記撮影手段が被写体を撮影するときに、受信した情報を撮影された画像と関連付けて記憶する記憶ステップとを有する。
【００１３】
また本発明に係る請求項９に記載の撮影方法は、上記記載の発明である撮影方法において、前記外部機器を登録する外部機器登録ステップを更に有し、前記記憶ステップは、前記受信ステップで受信した情報のうち、前記外部機器登録ステップで登録された外部機器からの情報のみを記憶する。
【００１４】
また本発明に係る請求項１０に記載の撮影方法は、上記記載の発明である撮影方法において、前記受信ステップで複数の機器から情報を受信可能である場合、所定の優先順位に従って、最も優先順位の高い情報を選択する選択ステップをさらに有し、前記受信ステップは、前記選択ステップで選択された情報を選択して受信する。
【００１５】
また本発明に係る請求項１１に記載の撮影方法は、上記記載の発明である撮影方法において、前記記憶ステップは、前記撮影手段で撮影された画像と、前記受信ステップで受信した情報を１つのファイルとして前記情報メモリに記憶する。
【００１６】
また本発明に係る請求項１２に記載の撮影方法は、上記記載の発明である撮影方法において、前記情報メモリに記憶された画像又はこの画像の縮小画像をディスプレイに表示する撮影画像再生ステップと、前記撮影画像再生ステップで前記画像又はこの画像の縮小画像を表示するとともに、当該画像に関連付けられた情報を再生する再生ステップとを有する。
【００１７】
また本発明に係る請求項１３に記載の撮影方法は、上記記載の発明である撮影方法において、使用者により操作される操作部材の第１の操作で前記受信ステップが情報の受信を開始し、前記操作部材の第２の操作で前記撮影ステップが被写体を撮影し、撮影後所定の時間経過後、前記受信ステップが前記情報の受信を終了する。
【００１８】
また本発明に係る請求項１４に記載の撮影方法は、上記記載の発明である撮影方法において、前記受信ステップで受信する情報は音声情報である。
【発明の効果】
【００１９】
本発明の撮影装置及び撮影方法によれば、撮影時に流れていた音楽、時事ニュース、周囲で再生されていた音楽その他の情報を明瞭に記録し、その情報を撮影した画像とともに再生することができる。
【発明を実施するための最良の形態】
【００２０】
［第１の実施の形態］
図１は、本発明の実施の態様を説明する図である。図１に示すように、ユーザは撮像装置１０を携行し、所望の被写体を撮影する。そうすると、撮影時に聞こえていた音楽などの情報が画像とともに記録される。
【００２１】
具体的には、撮影時に撮像装置で再生中であった音楽、ラジオ放送などを撮影した画像と関連付けて保存する。  
さらに、予め指定した周辺機器・装置・設備から情報を取得し、撮影した画像と関連付けて保存する。例えば、カーオーディオで再生中の放送、周辺のお店のテレビやオーディオプレイヤで流している音楽、周辺（駅構内、道路、イベント会場、車内など）の放送設備から発信している音声または文字情報などを、撮影した画像と関連付けて保存する。
【００２２】
そして、このようにして保存された情報は、撮像装置において画像と共に再生され、あるいはパーソナルコンピュータ（以下、ＰＣという）において画像と共に再生される。
【００２３】
図２は、本発明の実施の形態に係る撮像装置１０のブロック図である。  
撮像装置１０には、撮像部１１、通信部１２、ディスプレイ１３、記憶メディア１４、ユーザインターフェース１５、音声再生部１６、アンテナ１７、処理部１８及びヘッドフォン１９が設けられている。
【００２４】
撮像部１１は、被写体光像を画像データに変換し種々の画像処理を施す。通信部１２は、周辺機器などから情報を受信し、あるいは放送局から直接放送を受信する。ディスプレイ１３は、撮影した画像または取得した情報を表示する液晶モニタである。記憶メディア１４は、撮影した画像または取得した情報を保存する。  
ユーザインターフェース１５は、ユーザが入力した操作指示を受け取るためのインターフェースである。音声再生部１６は、取得した音声情報あるいは受信した音声放送を再生する。音声情報あるいは音声放送はアンテナ１７を介した電波による無線通信によって送受信される。処理部１８は、撮像装置１０の各部の動作を統括して制御する。なお、音声再生部１６で再生される音声はスピーカ（不図示）を介し、あるいはヘッドフォン１９を介して聞くこともできる。
【００２５】
続いて、本実施の形態に係る撮像装置１０の動作について、図３乃至図８を参照しつつ説明する。
図３、図４は、撮像装置１０を使用した情報の取得と保存手順を示すフロー図である。
図３のステップＳ０１において、処理部１８は、ユーザインターフェース１５を介したユーザの操作入力に基づいて、情報を取得する周辺機器の種類と情報取得時の優先順位の指定を受け取る。
図５は、周辺機器指定画面を表示する撮像装置１０を示す図である。
ディスプレイ１３には、周辺機器指定画面である機器選択欄１３ｃと選択機器表示欄１３ｄが表示される。
【００２６】
ユーザは機器選択欄１３ｃに表示される項目の内、情報の取得を希望する機器を操作ボタンを操作して選択する。そうすると、選択された機器の名称が選択機器表示欄１３ｄに表示される。  
ユーザは、選択機器表示欄１３ｄに表示された機器の名称を任意に取り消すこともできる。この選択機器表示欄１３ｄに表示されている機器から情報の取得が行われるが、選択機器表示欄１３ｄに表示されていない機器から情報の取得は行われない。  
なお、周辺機器として放送施設、例えば、「ＡＭ放送」、「ＦＭ放送」、「道路情報」などを選択したときは、発信周波数（Ｈｚ）と録音時間（秒）も併せて設定する。
【００２７】
図３に戻り、ステップＳ０２、Ｓ０３において、ユーザのレリーズボタン操作に従って撮影を実行し、撮影した画像を記憶メディア１４に保存する。  
続いて、ステップＳ０４において、撮像装置１０で音楽を再生中かどうかを調べる。ステップＳ０４でＹｅｓの場合、即ち、撮像装置１０で音楽を再生中の場合は、ステップＳ０５において、再生中の音声情報を撮影した画像と関連付けて保存する。
【００２８】
ステップＳ０６において、ラジオなどの放送施設から情報を取得するように指示されているかどうかを調べる。ステップＳ０６でＹｅｓの場合、即ち、ラジオなどの放送施設から情報を取得するように指示されている場合は、ステップＳ０７において、設定されているラジオ局から設定した時間だけ音声を録音する。そして、ステップＳ０８において、録音した放送の情報を撮影した画像と関連付けて保存する。
【００２９】
図４のステップＳ１１において、周辺機器から情報を取得するように指示されているかどうかを調べる。ステップＳ１１でＹｅｓの場合、即ち、周辺機器から情報を取得するように指示されている場合は、その指示に従って、以下の手順で情報の取得を実行する。
【００３０】
ステップS１２において、設定されている順位に従って、周辺機器が撮像装置１０の周囲に存在するかどうかを調べる。例えば、公知の技術を用いて、不特定の相手に対して無線により情報の提供を呼びかけ、それに応答した周辺装置を調べる。  
そして、ステップS１３でＹｅｓの場合、即ち、情報の取得が可能な周辺機器がある場合は、ステップＳ１４において、その周辺機器から通信部１２を介して情報を取得する。
【００３１】
ステップＳ１５で取得した情報の種類を調べ、ステップＳ１５でＹｅｓの場合、即ち、取得した情報が音声情報である場合は、ステップＳ１６、Ｓ１８において、その音声情報を一定時間録音し、撮影した画像と関連付けて記憶メディア１４に蓄える。  
ステップＳ１５でＮｏの場合、即ち、取得した情報が音声情報でない場合は、ステップＳ１７、Ｓ１８において、取得した情報を撮影した画像と関連付けて記憶メディア１４に保存する。
【００３２】
以上の手順を、情報が取得可能な周辺機器について繰り返して実行し、ステップＳ１３でＮｏの場合、即ち、指定された全ての周辺機器からの情報取得を終了したときは、本処理を終了する。
【００３３】
図６は、撮像装置１０で撮影した画像を閲覧する手順を示すフロー図である。  
図６のステップＳ２１において、処理部１８は、ユーザインターフェース１５を介してユーザの入力を受け取り、画像に関連付けられている情報の再生優先順位を設定する。
【００３４】
図７は、情報の優先順位設定画面を表示する撮像装置１０を示す図である。  
ディスプレイ１３には、優先順位設定画面である種類選択欄１３ｃと優先順表示欄１３ｄが表示される。  
ユーザは種類選択欄１３ｃに表示される項目の内、優先順位を設定する項目を選択する。例えば、「音の種類」を選択した場合は、優先順表示欄１３ｄには「音楽」、「ニュース」、「情報」、「その他」が表示される。
【００３５】
ユーザは、優先順表示欄１３ｄに表示される項目の順序を入れ替えることで、再生する情報の優先順序を指定することができる。また、優先順表示欄１３ｄに表示されている項目を消去することで、その情報を表示しないとすることができる。
【００３６】
また、ユーザが種類選択欄１３ｃに表示される項目の内、「電波の強さ」を選択した場合は、優先順表示欄１３ｄには「強い」、「弱い」が表示される。  
ユーザは、優先順表示欄１３ｄに表示される項目の順序を入れ替えることで、「強い電波」で送信された情報と、「弱い電波」で送信された情報のいずれを優先して再生するかを指定することができる。また、優先順表示欄１３ｄに表示されている項目を消去することで、その情報を再生しないとすることができる。
【００３７】
図６に戻り、ステップＳ２２において、ユーザの操作に応じて、撮影した画像をディスプレイ１３に表示する。
【００３８】
図８は、画像表示画面を表示する撮像装置１０を示す図である。  
ディスプレイ１３には、画像表示画面であるサムネイル表示領域１３ｅと拡大画像表示領域１３ｆが表示される。  
サムネイル表示領域１３ｅには、撮影した画像のサムネイル画像が一覧表示される。ユーザが操作ボタンを操作してサムネイル画像の一つを選択すると、その拡大画像が拡大画像表示領域１３ｆに表示される。
【００３９】
図６に戻り、ステップＳ２３において、処理部１８は、ユーザが選択した画像に関連付けられた情報を検索する。  
ステップＳ２４において、取得した情報を設定された優先順位に基づいて再生する。例えば、音声情報をスピーカやヘッドフォンを介して出力する。また、文字情報を拡大画像と合成して表示する。
【００４０】
次に、ＰＣによる画像の取込み・閲覧動作について、図９乃至図１２を参照しつつ説明する。  
図９は、ＰＣが撮像装置１０から画像を取込む手順を示すフロー図である。
【００４１】
図９のステップＰ０１において、ユーザが撮像装置１０をＰＣに接続すると、ＰＣは、画像の取込を開始する。  
ステップＰ０２、Ｐ０３において、ＰＣは未だ取込んでいない画像を検索して取込む。そして、ステップＰ０４でＹｅｓの場合、即ち、その画像に関連付けられた情報が存在する場合は、ステップＰ０５において、その情報を取込んで画像と関連付けて保存する。  
ステップＰ０６において、以上の手順を全ての画像を取込むまで繰り返して実行し、全ての画像を取込んだときは本処理を終了する。
【００４２】
次に、画像を閲覧する動作について説明する。  
図１０は、ＰＣに表示される画像閲覧画面２０を示す図である。画像閲覧画面２０には、ツリー表示領域２０ａ、画像表示領域２０ｂ及び再生優先順位設定ボックス２０ｃが設けられている。
【００４３】
ツリー表示領域２０ａには、ＰＣに保存されているファイル、フォルダがツリー形式で表示される。画像表示領域２０ｂには、ＰＣに保存されている画像あるいはサムネイル画像が表示される。再生優先順位設定ボックス２０ｃは、情報を再生する優先順位を設定するための領域である。
【００４４】
図１１は、画像を閲覧する手順を示すフロー図である。  
図１１のステップＰ１１において、ユーザは画像閲覧画面２０を表示して、画像に関連付けられている情報を再生する優先順位を設定する。
【００４５】
ユーザが再生優先順位設定ボックス２０ｃをクリックすると、図１２に示すプルダウンメニュー２０ｄが表示される。プルダウンメニュー２０ｄには、優先順位を設定する項目が表示されている。  
ユーザがプルダウンメニュー２０ｄに表示される項目を選択すると、例えば、「音の種類」を選択した場合は、優先順表示欄２０ｅに詳細の項目である「音楽」、「ニュース」、「情報」、「その他」が表示される。
【００４６】
ユーザは、優先順表示欄２０ｅに表示される項目の順序を入れ替えることで、再生する情報の優先順序を指定することができる。また、優先順表示欄２０ｅに表示されている項目を消去することで、その情報を再生しないとすることができる。
【００４７】
また、ユーザがプルダウンメニュー２０ｄに表示される項目の内、「電波の強さ」を選択した場合は、優先順表示欄２０ｅには「強い」、「弱い」が表示される。  
ユーザは、優先順表示欄２０ｅに表示される項目の順序を入れ替えることで、「強い電波」で送信された情報と、「弱い電波」で送信された情報のいずれを優先して再生するかを指定することができる。また、優先順表示欄２０ｅに表示されている項目を消去することで、その情報を再生しないとすることができる。
【００４８】
図１１に戻り、ステップＰ１２において、ユーザの操作に応じて、撮影した画像をディスプレイに表示する。  
ユーザが画像閲覧画面２０のツリー表示領域２０ａで、特定のフォルダを指定すると、画像表示領域２０ｂには、そのフォルダに保存されている画像のサムネイルが表示される。そして、ユーザがサムネイル画像の一つを選択すると、その拡大画像が表示される。
【００４９】
ステップＰ１３において、ＰＣは、ユーザが選択した画像に関連付けられた情報を検索する。  
ステップＰ１４において、検索した情報を設定された優先順位に従って再生する。例えば、音声情報をスピーカやヘッドフォンを介して出力する。また、文字情報を拡大画像と合成して表示する。
【００５０】
〔バリエーション〕  
本発明は、上述の実施の形態以外にも種々の形態で実施することができる。
【００５１】
（１）上述の実施の形態では、撮影された画像１枚に対して情報を関連付けているが、同じグループに属する複数の画像に対して情報を関連付けても良い。例えば、同時期に撮影された画像を同じグループとして同じ情報を関連付けることもできる。
【００５２】
（２）また、上述の実施の形態では、撮像装置で撮影された画像と関連付けられた情報を全てＰＣに取込んでいるが、取込む情報と取込まない情報とをＰＣで選択しても良い。
【００５３】
（３）また、複数の機器から情報を受信する場合、予め受信する情報に優先順を設定しておき、最も優先順位の高い情報を選択して受信するようにしても良い。
【００５４】
（４）また、撮像装置が撮影した画像と、この画像に関連した取得した情報とを１つのファイルとして記憶しても良い。このようにすれば、情報の検索を効率的に行うことができる。
【００５５】
（５）また、情報の再生は、拡大画像を表示したときに限らず、縮小画像を表示したときにその表示と共に実行しても良い。
【００５６】
（６）また、情報の取得は適宜のタイミングで行うことができる。例えば、ユーザがレリーズボタンを１段操作したときに情報の受信を開始し、レリーズボタンを２段操作したときに被写体を撮影し、撮影後所定の時間経過後、情報の受信を終了するようにしても良い。これによれば、情報の取得を効率的に行うことができる。
【００５７】
（７）更に、上述の実施の形態で用いた撮像装置は、所謂デジタルカメラに限られるものではない。撮像部と通信部とを備え、携帯性を有する機器であれば、本発明を適用することができる。例えば、携帯電話、携帯型情報処理端末、携帯型映像プレーヤ、携帯型音楽プレーヤであっても良い。
【００５８】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５９】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００６１】
【図１】本発明の実施の態様を説明する図。
【図２】本発明の実施の形態に係る撮像装置のブロック図。
【図３】撮像装置を使用した情報の取得と保存手順を示すフロー図。
【図４】撮像装置を使用した情報の取得と保存手順を示すフロー図。
【図５】周辺機器指定画面を表示する撮像装置を示す図。
【図６】撮像装置で撮影した画像を閲覧する手順を示すフロー図。
【図７】情報の優先順位設定画面を表示する撮像装置を示す図。
【図８】画像表示画面を表示する撮像装置を示す図。
【図９】ＰＣが撮像装置から画像を取込む手順を示すフロー図。
【図１０】ＰＣに表示される画像閲覧画面を示す図。
【図１１】画像を閲覧する手順を示すフロー図。
【図１２】プルダウンメニューを示す図。
【符号の説明】
【００６２】
１０…撮像装置、１１…撮像部、１２…通信部、１３…ディスプレイ、１４…記憶メディア、１５…ユーザインターフェース、１６…音声再生部、１７…アンテナ、１８…処理部、２０…画像閲覧画面。
【図１】
2007201602.tif 000003
【図２】
2007201602.tif 000004
【図３】
2007201602.tif 000005
【図４】
2007201602.tif 000006
【図５】
2007201602.tif 000007
【図６】
2007201602.tif 000008
【図７】
2007201602.tif 000009
【図８】
2007201602.tif 000010
【図９】
2007201602.tif 000011
【図１０】
2007201602.tif 000012
【図１１】
2007201602.tif 000013
【図１２】
2007201602.tif 000014